(57)【要約】【課題】各種の入力映像信号を受像する場合においても、常に擬似的な輪郭を発生させずに画質を向上させた映像信号処理装置を提供する。【解決手段】入力映像信号の帯域を制限する帯域制限部２と、前記帯域制限部２からのアナログ信号を特定のクロック信号を用いてデジタル信号に変換するアナログ／デジタル変換部３と、前記アナログ／デジタル変換部３のクロック周波数を制御して所定の水平画素を有する信号仕様に画素変換しかつ入力映像信号に応じて前記帯域制限部２のカットオフ周波数を制御する画素変換部４とを備え、アナログ／デジタル変換の標本化による折り返し成分を除去するように構成したもので、鮮明な画像表示が実現できる。【選択図】  図１
2005026744.tif 000002
【特許請求の範囲】
【請求項１】
入力映像信号の帯域を制限する帯域制限手段と、前記帯域制限手段からのアナログ信号を特定のクロック信号を用いてデジタル信号を変換するアナログ／デジタル変換手段と、前記アナログ／デジタル変換手段のクロック周波数を制御して所定の水平画素を有する信号仕様に画素変換しかつ入力映像信号に応じて前記帯域制限手段のカットオフ周波数を制御する画素変換手段とを備え、アナログ／デジタル変換の標本化による折り返し成分を除去するように構成したことを特徴とする映像信号処理装置。
【請求項２】
帯域制御手段は、画素変換手段のクロック周波数より約１／２以下の周波数帯域に制限するように構成したことを特徴とする請求項１記載の映像信号処理装置。
【請求項３】
帯域制御手段は、複数の画素表示を行う場合に水平表示サイズに応じて周波数帯域を制御するように構成したことを特徴とする請求項１記載の映像信号処理装置。
【発明の詳細な説明】
【０００１】
【発明の属する技術分野】
本発明は、プラズマディスプレイパネルなどのデジタル表示デバイスの映像信号処理装置に関し、特に平均輝度と画質を向上させる映像信号処理装置に関するものである。
【０００２】
【従来の技術】
従来、プラズマディスプレイパネルの階調補正を行う装置としては、特許文献１に記載のように、輝度分布のダイナミックレンジの範囲における広がり過ぎを防止して、映像の輝度分布の偏り具合に応じて最適な階調補正と高解像度表示を行う方式が安定されている。
【０００３】
【特許文献１】
特開平１１−１３０７２５号公報
【０００４】
【発明が解決しようとする課題】
しかしながら、上記のような構成では、ルックアップテーブルメモリなどが必要となるため、システムが複雑になり、コストが上がるとともに、映像シーンに応じて急激な解像度の低下と輝度変化が頻繁に発生するといった問題を有していた。
【０００５】
本発明はこのような課題に鑑みなされたもので、入力映像ソースに応じて帯域制限手段のカットオフ周波数を制御することにより、デジタル処理による折り返し成分を除去して良好な画像表示を実現できるようにすることを目的とする。
【０００６】
【課題を解決するための手段】
この課題を解決するために本発明は、入力映像信号の帯域を制限する帯域制限手段と、前記帯域制限手段からのアナログ信号を特定のクロック信号を用いてデジタル信号に変換するアナログ／デジタル変換手段と、前記アナログ／デジタル変換手段のクロック周波数を制御して所定の水平画素を有する信号仕様に画素変換しかつ入力映像信号に応じて前記帯域制限手段のカットオフ周波数を制御する画素変換手段とを備え、アナログ／デジタル変換の標本化による折り返し成分を除去するように構成したものである。
【０００７】
本発明により、特にプラズマディスプレイパネルにおいて、ドットマトリックス型表示素子で水平方向の画素処理を行う際に生じる擬似的な輪郭補償（信号の折り返し成分）を除去して画質を向上させる映像信号処理装置を得ることができる。
【０００８】
【発明の実施の形態】
以下、本発明の一実施の形態による映像信号処理装置について、図面を用いて説明する。
【０００９】
図１は本発明の一実施の形態におけるプラズマディスプレイパネル（以降ＰＤＰと略す）の駆動回路に用いる映像信号処理装置におけるブロック図であり、図１において、１は入力映像信号の入力端子と、２は入力端子１からのアナログ信号の帯域を制御する帯域制限手段としての帯域制限部、３は帯域制限部２からのアナログ信号を特定のクロック信号を用いてデジタル信号に変換するためのアナログ／デジタル（Ａ／Ｄ）変換手段としてのＡ／Ｄ変換部、４はＡ／Ｄ変換部３のクロック周波数を制御して所定の水平画素を有する信号仕様に画素変換する画素変換手段としての画素変換部で、この画素変換部４は入力映像信号に応じて前記帯域制限部２のカットオフ周波数を制御するものである。５は表示デバイスであるＰＤＰ６をドライブする駆動部である。
【００１０】
以上のように構成されたプラズマディスプレイパネルの映像信号処理装置について、以下その動作を説明する。
【００１１】
入力端子１に、図２（ａ）に示すＮＴＳＣの水平走査周波数ｆｈ＝１５．７５ｋＨｚの信号が供給された場合、画素変換部４によって帯域制限部２は図３（ａ）に示すカットオフ周波数ｆ１に制限されると共に、Ａ／Ｄ変換部３のクロック周波数はｆｓ１に設定されてＰＤＰの水平画素に適した信号に変換される。
【００１２】
また、入力端子１に図２（ｂ）に示す水平走査周波数ｆｈ＝３３．７５ｋＨｚのＨＤＴＶの信号が供給された場合は、帯域制限部２は図３（ｂ）に示すカットオフ周波数ｆ２に制限されると共に、Ａ／Ｄ変換部３のクロック周波数はｆｓ２に設定されてＰＤＰの水平画素に適した信号に変換される。
【００１３】
ところで、一般に、ＣＲＴではスポット形状がガウス分布のため、図４の破線に示すような下降特性のＭＴＦ特性を示すのに対し、ＰＤＰなどのＸＹマトリックスディスプレイでは図４の実線に示すように特定の周波数まで平坦特性となる。そのため従来のＣＲＴでは、Ａ／Ｄ変換による折り返し成分による画質劣化は全く検知できないレベルになるのに対し、ＰＤＰではＭＴＦ特性の劣化がないため、この擬似的に輪郭補償は大きな画質劣化として現れることになる。そのため上記のようにＣＲＴとは異なるＰＤＰに適して映像信号処理が要求されることになる。
【００１４】
ＰＤＰはフルデジタル表示デバイスであるため、画素劣化の主要因は信号Ｓ／Ｎである。信号Ｓ／Ｎが劣化すれば階調性や解像度、擬似輪郭などの基本性能の劣化として現れる。
【００１５】
すなわち、上記本発明の構成により、アナログ／デジタル変換時の標本化により発生する折り返し成分を除去し、この折り返し除去された映像信号を用いて、新たにＳ／Ｎ劣化が少なく、安定なトランジェント補正を行うデジタル的な２次元輪郭補償を設けることにより、ＰＤＰに適した信号処理を行うことができる。そのため、ＣＲＴに比べ鮮鋭度は大幅に向上できると共に、信号Ｓ／Ｎの良好な処理が実現できる。また、２次元輪郭補償回路では信号ソースに応じたＰＤＰの画素単位でのデジタルトランジェント補正が可能となるため、最適な輪郭補償は行える。
【００１６】
次に、２画面処理を行った場合の処理について説明する。図５（ａ）は主画面となる「家の映像」、図５（ｂ）は副画面となる「山の映像」であり、この各々の映像を単独で表示する場合は、帯域制限部２では図３（ｂ）に示すカットオフ周波数ｆ２に制限されると共に、Ａ／Ｄ変換部３のクロック周波数はｆｓ２に設定されてＰＤＰ水平画素に適した信号に変換される。図５（ｃ）に示す２画面表示を行う場合は、副画面の水平サイズに適応して、帯域制限部２では図６（ｂ）に示すカットオフ周波数ｆ４に制限されるとともに、Ａ／Ｄ変換部３のクロック周波数はｆｓ４に設定されて、副画面サイズの水平画素に適した信号に変換される。
【００１７】
したがって、本発明のように映像の表示領域に適応してアナログ／デジタル変換時の標本化により発生する折り返し成分を自動的に除去することにより、２画面表示や画面サイズを変化させた場合においても、忠実で鮮鋭度の高い画像表示が実現できる。
【００１８】
このように本実施の形態によれば、入力映像信号の折り返し成分を除去し、ＰＤＰの画素単位での画像調整を行うことにより、忠実で鮮鋭度の高い画像表示が実現できる。
【００１９】
なお、本実施の形態において、理解を容易にするためＰＤＰを用いた表示デバイスを用いた映像信号処理について述べたが、それ以外の表示デバイスについても有効であることは言うまでもない。
【００２０】
【発明の効果】
以上のように本発明の映像信号処理装置によれば、各入力映像信号と表示領域に応じてＡ／Ｄ変換手段の前段に設けられた帯域制限手段のカットオフ周波数を制御する帯域制限手段を備えたものであり、デジタル信号処理による折り返し成分を除去して鮮明な画像表示が実現でき、さらに、ＰＤＰのようなフルデジタル表示デバイスではより一層のメリハリのある画像の表示が実現でき、その実用的効果は大きい。
【図面の簡単な説明】
【図１】本発明の一実施の形態による映像信号処理装置のブロック図
【図２】同装置の動作を説明するための動作波形図
【図３】同じく動作特性図
【図４】同じく動作特性図
【図５】同じく動作画面図
【図６】同動作特性図
【符号の説明】
２  帯域制限部
３  アナログ／デジタル変換部
４  画素変換部
５  駆動部
６  プラズマディスプレイパネル（ＰＤＰ）
【図１】
2005026744.tif 000003
【図２】
2005026744.tif 000004
【図３】
2005026744.tif 000005
【図４】
2005026744.tif 000006
【図５】
2005026744.tif 000007
【図６】
2005026744.tif 000008